(57)【要約】【課題】容器Ａの口部ａが偏倚位置にあっても、押上液Ｙの発生を抑制して、高速大容量充填を行うことができる液体充填ノズルを得るにある。【解決手段】液体を充填される容器Ａの口部ａに挿入される下端吐出端部１ａをノズル本体１に備えた液体充填ノズルにおいて、前記吐出端部１ａを閉鎖できる開閉弁５の上部に、特定の放射方向に液源からの液体を導くことができるガイド溝８Ｌ，８Ｒを形成された液ガイド７を設けた液体充填ノズル。【選択図】図２
2005324826.tif 000002
【特許請求の範囲】
【請求項１】
液体を充填される容器の口部に挿入される下端吐出端部をノズル本体に備えた液体充填ノズルにおいて、前記吐出端部を閉鎖できる開閉弁の上部に、特定の放射方向に液源からの液体を導くことができるガイド溝を形成された液ガイドを設けたことを特徴とする液体充填ノズル。
【請求項２】
前記ノズル本体はその内部に絞り弁座を備え、前記開閉弁を開度調整する開閉ロッドには同絞り弁座と協動して前記ガイド溝に至る液源からの液体の流量を制限できる絞り弁が設けられたことを特徴とする請求項１記載の液体充填ノズル。
【請求項３】
前記液ガイドは円柱母材から作られ、前記ガイド溝は同円柱母材の直径方向に対向して形成されたことを特徴とする請求項１または請求項２記載の液体充填ノズル。
【請求項４】
前記円柱母材の上半部には円錐状空間が形成され、この円錐状空間から下半部を削成することにより前記ガイド溝が形成されたことを特徴とする請求項３記載の液体充填ノズル。
【発明の詳細な説明】
【技術分野】
【０００１】
本発明は１８リットル缶やドラム缶などの容器に液体を充填する液体充填機に関し、特に高速充填に適した液体充填ノズルに関する。
【背景技術】
【０００２】
周知のように、例えば１８リットル缶などの容器に液体を充填するに際しては、図１に示すように、液体充填ノズル１Ａの円筒状吐出端部１ａを容器Ａの口部ａに挿入し、同吐出端部ａを閉鎖できる開閉弁を操作して一定量の液体を容器に充填する。
【０００３】
即ち、液体充填ノズル１Ａの開閉弁５Ａは、図１に示すように開閉弁５Ａをノズル本体１Ａの内部に引き上げて吐出端部１ａを開放するか、または、同開閉弁を５Ａ吐出端部１ａの下方に移動させて吐出端部１ａを開放するかの何れかの構造とされるが、前者の構造では、吐出端部から吐き出される充填液は下向きの噴流となり、後者の構造では、下向き放射状の噴流となる。
【特許文献１】特開２００３−２３７８９５
【特許文献２】特開２０００−１９１０９２
【特許文献３】特開２０００−１６８７２７
【発明の開示】
【発明が解決しようとする課題】
【０００４】
ところで、液体が充填される１８リットル缶やドラム缶の口部ａは液体の取り出し上の都合などから、缶全体の中心からかなり偏った位置にあるのが普通であるため、液体充填ノズル１Ａから下向き噴流または下向き放射状噴流として充填液体を噴出させると、最寄の容器壁面に対応した位置に押上液Ｙが生じ、この押上液Ｙが充填工程で厄介な現象を引き起こす。
【０００５】
つまり、液体充填ノズル１Ａから短時間で大流量の充填を行うと、この押上液Ｙが口部ａから外部に吹き上がり、容器外面の汚染や充分な量の液体充填を行えなくなる。
このため、従来では、大流量充填の場合，液体充填ノズル１Ａの吐出端部１ａを容器深くに挿入し、押上液Ｙを抑制して容器口部ａからの吹きこぼれを防止するが、このような対策では、吐出端部１ａの外面に充填液が付着し、付着液の滴下で容器汚れの原因となったり、長尺の吐出端部１ａの使用や液体充填ノズル１Ａの昇降距離が長くなり、コスト増加の原因となる。
【０００６】
本発明の目的は、以上に述べたような従来の高速型液体充填ノズルの問題に鑑み、容器の口部が偏倚位置にあっても、押上液の発生を抑制して、高速大容量充填を行うことができる液体充填ノズルを得るにある。
【課題を解決するための手段】
【０００７】
この目的を達成するため、本発明は、液体を充填される容器の口部に挿入される下端吐出端部をノズル本体に備えた液体充填ノズルにおいて、前記吐出端部を閉鎖できる開閉弁の上部に、特定の放射方向に液源からの液体を導くことができるガイド溝を形成された液ガイドを設けた液体充填ノズルを提案するものである。
【発明の効果】
【０００８】
本発明によれば、吐出端部を閉鎖できる開閉弁の上部に、特定の放射方向に液源からの液体を導くことができるガイド溝を形成された液ガイドを設けたため、偏位した容器口部に接近する容器側壁とは異なった方向に充填液体を吐出できるので、液体充填ノズルの吐出端部を容器中に深く差し込まずとも、押上液を生じることなく、高速充填を行うことができる。
【発明を実施するための最良の形態】
【０００９】
後述する本発明の好ましい実施例の説明においては、
１）  前記ノズル本体はその内部に絞り弁座を備え、前記開閉弁を開度調整する開閉ロッドには同絞り弁座と協動して前記ガイド溝に至る液源からの液体の流量を制限できる絞り弁が設けられた液体充填ノズル、
２）  前記液ガイドは円柱母材から作られ、前記ガイド溝は同円柱母材の直径方向に対向して形成された液体充填ノズル、
３）  前記円柱母材の上半部には円錐状空間が形成され、この円錐状空間から下半部を削成することにより前記ガイド溝が形成された液体充填ノズル
が説明される。
【実施例１】
【００１０】
以下、図２から図５について本発明の実施例の詳細を説明する。
図２及び図３は本発明による液体充填ノズルの詳細を示し、同液体充填ノズルは充填される圧力液体源に結合される中空のノズル本体１を備え、このノズル本体１は例えば１８リットル缶などの容器Ａの口部ａに差し込まれる円筒形の吐出端部１ａを下端部に、後述する絞り弁２と協動する絞り弁座３が内部に設けられる。
【００１１】
そして、前記ノズル本体１の中心部にはノズル本体１とは独立的に操作される開閉ロッド４が貫通状態におかれ、この開閉ロッド４の下端部には前記吐出端部１ａを閉鎖できる開閉弁５が固定され、また、同開閉ロッド４の長さ方向中間部にはリング状の前記絞り弁座３との間で液体源からの充填液量を絞って時間当たりの充填量を調整する絞り弁２が固定される。なお、開閉弁５の上面にはリング状ゴムリング６が位置され、このゴムリング６により吐出端部１ａのシールが行われる。
【００１２】
また、前記開閉弁５の上部には前記吐出端部１ａの口径よりも僅かに小さな外径の円柱状液ガイド７が固定され、前記開閉ロッド４の直径方向に形成された一対のガイド溝８Ｌ，８Ｒを通って圧力液体が斜め下方に向けて噴出される。
【００１３】
図５は液ガイド７の製作工程を示し、この液ガイド７の製作のために図５（ａ）に示す金属円柱母材７Ａが用意され、この円柱母材７Ａの天面には円錐台空間９が（ｂ）に示すように削成され、その下半部には開閉ロッド４を貫通できる貫通孔１０が穿たれる。一方、円柱母材７Ａの上半部には、図５（ｄ）に示すように、直径方向に対向された一対のガイド溝８Ｌ，８Ｒが先ず形成されるけれども、これらのガイド溝８Ｌ，８Ｒは、例えばガイド溝８Ｌ，８Ｒの溝幅Ｗに相当する直径のエンドミルを水平方向に送ることにより簡単に形成できる。
【００１４】
この工程の後、前述した直径のエンドミルは、図５（ｅ）の矢印Ｘに示すように、ガイド溝８Ｌ，８Ｒに一致した位置で円柱母材７Ａの斜め上方に送られることにより、各ガイド溝８Ｌ，８Ｒの下部に連続した斜め下方向きのガイド溝８Ｌ，８Ｒの出口部８ａが（ｅ）及び（ｆ）に示すように形成されて、全体が円柱状の液ガイド７が完成される。
【００１５】
図示実施例による液体充填ノズルは、以上に述べたような構造であるので、例えば１８リットル缶の場合、缶周壁ｂに対して偏倚した口部ａに対して図４に示すようにガイド溝を傾けて使用すればよい。つまり、上方から見て、液ガイド７のガイド溝８Ｌ，８Ｒを最寄りの缶周壁ｂから逸らせる方向に向けておけば、ガイド溝８Ｌ，８Ｒの出口部８ｂから噴出される圧力液体が最寄りの缶周壁ｂから反射して押上液Ｙとなるのを防止できるため、単位時間当たりの充填量を増加させた高速充填を行うことができる。
言い換えると、本発明による液体充填ノズルにおいては、押上液Ｙの発生を防止できるから、口部ａからの充填液の噴きこぼれがなくなり、容器Ａの内部深くまで吐出端部１ａを挿入する必要がなくなるため、液体充填ノズルの上下動距離は短くてよく、この上下操作に要する機構も安価なものとなる。
【００１６】
大流量充填の場合、図２に示すように、開閉ロッド４の下降により絞り弁座３から絞り弁２が充分に離間しており、ノズル本体１の吐出端部１ａは開閉弁５の下降により大きく開口しているため、液体源からの充填液はガイド溝８Ｌ，８Ｒに沿って斜め下方に勢いよく噴出されることになる。
また、容器Ａへの大部分の充填を終えた後の小充填時にあっては、図３に示すように、開閉ロッド４の上昇により開閉弁５が上昇されて吐出端部１ａの開度が小さくなると同時に、絞り弁座３に絞り弁２が接近されて液体源からの充填流量が絞られるため、図示のように、吐出端部１ａからの噴出流量も少なくかつ弱くなるため、一層、押上液Ｙによる噴きこぼれを防止できる。
【産業上の利用可能性】
【００１７】
なお、前述した本発明のガイド溝８Ｌ，８Ｒは、開閉ロッド４の直径方向に形成されたものを例示したが、本発明においては、容器Ａの形状などの必要に応じてガイド溝８Ｌ，８Ｒの向きを変更することができるのは改めて指摘するまでもない。
【図面の簡単な説明】
【００１８】
【図１】従来の液体充填ノズルによる液体充填工程の説明図である。
【図２】大流量充填時の本発明による液体充填ノズルの断面図である。
【図３】小流量充填時の同液体充填ノズルの断面図である。
【図４】同液体充填ノズルと缶壁との関係を示す平面図である。
【図５】同液体充填ノズルの液ガイドの製作工程を示すもので、（ａ）は円柱母材，（ｂ）は円錐台加工時，（ｃ）はロッド貫通孔加工時，（ｄ）は上部スロット加工時，（ｅ）は下部スロット加工時のそれぞれの斜視図，（ｆ）は同下部スロット加工時の側面図である。
【符号の説明】
【００１９】
Ａ    容器
Ｙ    押上液
ａ    口部
１    ノズル本体
１ａ  吐出端部
２    絞り弁
３    絞り弁座
４    開閉ロッド
５    開閉弁
７    液ガイド
７Ａ  円柱母材
８Ｌ，８Ｒ  ガイド溝
【図１】
2005324826.tif 000003
【図２】
2005324826.tif 000004
【図３】
2005324826.tif 000005
【図４】
2005324826.tif 000006
【図５】
2005324826.tif 000007